(57)【要約】【課題】車両減速中の燃料カット期間におけるエアコンの冷房能力の向上と燃費悪化の抑制とを両立させる。【解決手段】車両には、エンジン１０の回転により駆動するエアコン用コンプレッサ２８と、エンジン１０の出力軸１５と車両の出力軸としての車軸２２との変速比を連続的に変更する無段変速機１７とが設けられている。エンジン１０の運転等に関する各種制御を実施するエンジンＥＣＵ４０は、車両減速中の燃料供給の停止期間において、エアコンに対する要求負荷を検出し、その検出した要求負荷が大きいほど、エンジン１０の回転速度が高くなる側に変速比を制御する。【選択図】図１
2011027200.tif 000002
【特許請求の範囲】
【請求項１】
エンジンの回転により駆動するエアコン用のコンプレッサと、前記エンジンの出力軸と車両の出力軸との変速比を連続的に変更する無段変速機とを備える車両に適用され、
前記エアコンに対する要求負荷を検出するエアコン負荷検出手段と、
車両減速中の燃料供給の停止期間において、前記エアコン負荷検出手段により検出した要求負荷が大きいほど、前記エンジンの回転速度が高くなる側に前記変速比を制御する変速比制御手段と、
を備えることを特徴とする車両の制御装置。
【請求項２】
前記エンジンには、該エンジンの吸気通路又は排気通路を開閉する開閉弁が設けられ、
前記変速比制御手段による変速比制御に際し、前記開閉弁の開度を制御する開閉制御手段を備える請求項１に記載の車両の制御装置。
【請求項３】
車速又は車速に関するパラメータを検出する車速検出手段を備え、
前記開閉制御手段は、前記車速検出手段により検出した車速又は車速に関するパラメータに基づいて前記開閉弁の開度を制御する請求項２に記載の車両の制御装置。
【請求項４】
前記車速検出手段は、前記パラメータとして前記車両の減速度を検出する手段を含み、
前記開閉制御手段は、前記減速度に基づいて前記開閉弁の開度を制御する請求項３に記載の車両の制御装置。
【請求項５】
前記コンプレッサが固定容量型である請求項１乃至４のいずれか一項に記載の車両の制御装置。
【発明の詳細な説明】
【技術分野】
【０００１】
本発明は、車両の制御装置に関するものである。
【背景技術】
【０００２】
従来、変速比を連続的に変速可能な無段変速機（ＣＶＴ）を搭載した車両が知られている（例えば特許文献１参照）。特許文献１には、エンジンブレーキを用いる制動時において、エアコン等といったエンジンの駆動力に対し負荷となる要因（負荷要因）がある場合には、その負荷要因がない場合に比べ、無段変速機の変速比を、エンジン回転速度が所定量下がった変速比、すなわちシフトアップ側の変速比で制御することが開示されている。これにより、エンジンブレーキの作動時においてエアコン等の負荷要因が働いた場合に、エンジン回転速度が必要以上に高くなるのを抑制し、燃料の節約やエンジン音の抑制を図るようにしている。
【０００３】
また、車両において、エンジンの出力軸にベルト等を介して連結されたエアコン用コンプレッサの駆動を制御することにより、車室内の空調を行う車両用空調システムが知られている（例えば特許文献２参照）。コンプレッサとして、例えば１回転あたりの冷媒吐出容量が一定の固定容量型が採用されている場合、エンジンの回転によりコンプレッサが回転駆動されることで、都度のエンジン回転速度に応じた量のエアコン冷媒がコンプレッサから吐出される。これにより、その吐出量に応じた冷房能力が発揮される。
【先行技術文献】
【特許文献】
【０００４】
【特許文献１】特開昭６２−５５２３３号公報
【特許文献２】特開２００９−６９２０号公報
【発明の概要】
【発明が解決しようとする課題】
【０００５】
上記特許文献１では、車両制動時にエアコン負荷が発生した場合に、エンジン回転速度の過上昇を抑制することで燃料の節約やエンジン音の抑制を図ることについては考慮されているものの、冷房能力については考慮されていない。すなわち、空調システムの冷房能力はコンプレッサの回転速度に応じて定められ、更にコンプレッサ回転速度はエンジン回転速度に基づいて定められる。そのため、エアコン負荷の発生に伴い、エンジン回転速度が低くなる側に（シフトアップ側に）変速比を変更すると、コンプレッサ回転速度が低下し、その結果、冷房能力が低下してしまう。かかる場合、エアコンにおいて、ドライバ等の要求に見合う冷房能力を発揮できないおそれがある。特に、コンプレッサが固定容量型の場合には、エンジン回転速度の低下時ではその吐出容量を増大できないため、上記問題がより懸念される。
【０００６】
本発明は、上記課題を解決するためになされたものであり、車両減速中の燃料供給の停止期間においてエアコンの冷房能力の向上と燃費悪化の抑制とを両立させることができる車両の制御装置を提供することを主たる目的とする。
【課題を解決するための手段】
【０００７】
本発明は、上記課題を解決するために、以下の手段を採用した。
【０００８】
本発明は、エンジンの回転により駆動するエアコン用のコンプレッサと、前記エンジンの出力軸と車両の出力軸との変速比を連続的に変更する無段変速機とを備える車両に適用される車両の制御装置に関するものである。そして、請求項１に記載の発明は、前記エアコンに対する要求負荷を検出するエアコン負荷検出手段と、車両減速中の燃料供給の停止期間において、前記エアコン負荷検出手段により検出した要求負荷が大きいほど、前記エンジンの回転速度が高くなる側に前記変速比を制御する変速比制御手段と、を備えることを特徴とする。
【０００９】
要するに、エアコン用コンプレッサがエンジンの回転により駆動される構成では、車両減速中の燃料供給停止（燃料カット）期間において、エアコンに対する要求負荷が大きい場合や、その要求負荷が増大した場合に、エンジン回転速度が低くコンプレッサを十分に駆動できないことに起因して、そのエアコン要求に見合う冷房能力を発揮できないことが考えられる。その点、本発明では、車両減速中の燃料カット期間において、エアコンに対する要求負荷が大きいほど、エンジン回転速度が高くなるように、変速比をシフトダウン側に制御する。すなわち、入力側プーリのベルト巻き付け半径を小さく、出力側プーリのベルト巻き付け半径を大きくして入力側の回転速度を上昇させる。これにより、エアコン要求負荷に応じてコンプレッサ回転速度を調整することができ、その結果、エアコン要求に見合う冷房能力を発揮させることができる。また、エアコンに対する要求負荷が小さいほど、エンジン回転速度が低くなるように、変速比をシフトアップ側に制御することにより、エアコン要求に見合う冷房能力を確保しつつ、エンジン回転速度が必要以上に高くなるのを抑制して燃費悪化を抑制することができる。したがって、本発明によれば、エアコンの冷房能力の向上と燃費悪化の抑制とを両立させることができる。
【００１０】
ここで、エアコンに対する要求負荷は、例えば車室内の温度や外気温、ドライバの要求温度、日射の程度等に基づき定められる。
【００１１】
車両減速時の燃料カット中に、シフトダウン側への変速比制御を行った場合、エンジン回転速度の上昇に伴い、エンジンブレーキによる制動力が増大することが考えられる。この場合、車両の減速感が大きくなり、ドライバに違和感を与えたり、燃料カット期間が短縮されて燃費が悪化したりするおそれがある。
【００１２】
その点に鑑み、請求項２に記載の発明では、前記エンジンには、該エンジンの吸気通路又は排気通路を開閉する開閉弁が設けられ、前記変速比制御手段による変速比制御に際し、前記開閉弁の開度を制御する開閉制御手段を備える。この構成によれば、車両減速時の燃料カット中では、シフトダウン側への変速比制御とともに上記開閉弁の開度制御を実施することにより、エンジンの吸排気抵抗を調節することができ、ひいてはエンジンのポンプロスを調節することができる。これにより、変速比をシフトダウン側へ変更した場合において、エンジンブレーキによる制動力を増加又は減少させることができ、過剰な車両減速を抑制することができる。したがって、本発明によれば、エアコン要求を満たしつつ、車両の減速感の適正化を図ることができる。
【００１３】
開閉弁の開度制御を実施する構成において具体的には、請求項３に記載の発明のように、車速又は車速に関するパラメータを検出する車速検出手段を備え、前記開閉制御手段が、前記車速検出手段により検出した車速又は車速に関するパラメータに基づいて前記開閉弁の開度を制御する。こうすれば、車速の変化に応じてエンジンのポンプロスを調節することができ、車両の減速感の適正化を図る上で好適である。
【００１４】
より具体的には、請求項４に記載の発明のように、前記車速検出手段が、前記パラメータとして前記車両の減速度を検出する手段を含み、前記開閉制御手段が、前記減速度に基づいて前記開閉弁の開度を制御する。こうすれば、車両の減速度に応じてエンジンのポンプロスを調節することができる。したがって、車両の減速度の急変を好適に抑制することができる。このとき、車両の減速度の変化が大きいほど、開閉弁の開度を大きくするとよい。
【００１５】
上記請求項１乃至４に記載の発明は、請求項５に記載の発明のように、前記コンプレッサを固定容量型とすることで、エアコン要求負荷に応じてコンプレッサを駆動するといった効果を好適に得ることができる。すなわち、固定容量型のコンプレッサは、安価である反面、エンジン１回転あたりの吐出容量を変更することができない。そのため、コンプレッサからの冷媒吐出量を増大させてエアコンの冷房能力を向上させるには、エンジン回転速度を変更する必要がある。その点、本発明では、固定容量型のコンプレッサを備える構成において、エアコンに対する要求負荷が大きいほど、エンジン回転速度が高くなる側に変速比を制御することにより、エアコン要求負荷に応じてコンプレッサの吐出能力を変更することができる。その結果、エアコン要求に見合う冷房能力を発揮することができる。また、エアコンに対する要求負荷が小さいほど、エンジン回転速度が低くなる側に変速比を制御することにより、エアコン要求に見合う冷房能力を確保しつつ、エンジン回転速度が必要以上に高くなるのを抑制し、燃費悪化を抑制することができる。
【図面の簡単な説明】
【００１６】
【図１】車両制御システムの全体概略を示す構成図。
【図２】変速比制御及びスロットル開度制御に関する処理の処理手順を示すフローチャート。
【図３】エアコン情報とエアコン要求負荷との関係を表すマップの一例を示す図。
【図４】エアコン要求負荷とコンプレッサ回転速度との関係の一例を示す図。
【図５】コンプレッサ回転速度と変速比との関係を表すマップの一例を示す図。
【図６】車速と変速比との関係を表すマップの一例を示す図。
【図７】変速比制御及びスロットル開度制御の具体的な態様を示すタイムチャート。
【発明を実施するための形態】
【００１７】
以下、本発明を具体化した実施の形態を図面に基づいて説明する。本実施形態は、例えばエンジンと無段変速機（ＣＶＴ）とを搭載した車両に具体化しており、その車両制御システムを図１に示す。
【００１８】
図１において、エンジン１０は例えば多気筒ガソリンエンジンであり、図示しないインジェクタや点火装置（イグナイタ等）等を備えている。また、エンジン１０の吸気通路１１には、ＤＣモータ等のスロットルアクチュエータ１２によって開度調節されるスロットルバルブ１３が設けられている。スロットルバルブ１３の開度（スロットル開度）は、スロットルアクチュエータ１２に内蔵されたスロットル開度センサ１４により検出される。スロットルバルブ１３を通過した空気は燃料と混合され、その混合気がエンジン１０の燃焼室で燃焼に供される。これにより、エンジン１０のピストン（図示略）が往復動してエンジン１０の出力軸（クランク軸）１５が回転される。
【００１９】
クランク軸１５には、トルクコンバータ１６を介して無段変速機１７が接続されている。無段変速機１７は、例えばベルト式のオートマチックトランスミッションであり、都度の車両運転状態に応じた変速比により、トランスミッション入力軸１８の回転がトランスミッション出力軸１９の回転に変換される。具体的には、無段変速機１７は、溝幅を変更可能な入力側プーリ及び出力側プーリと、入力側プーリと出力側プーリとの間に掛け渡されたベルトとを備えている。この無段変速機１７では、両プーリの溝幅が油圧回路等によって制御されることで、ベルトの巻き掛け半径が連続的に変化され、これにより変速比が連続的に変更される。すなわち、入力側プーリのベルト巻き付け半径が小さく、出力側プーリのベルト巻き付け半径が大きくされることで、変速比がシフトダウン側に変更される。これにより、トランスミッション入力軸１８の回転速度が上昇する。また逆に、入力側プーリのベルト巻き付け半径が大きく、出力側プーリのベルト巻き付け半径が小さくされることで、変速比がシフトアップ側に変更される。これにより、トランスミッション入力軸１８の回転速度が降下する。
【００２０】
なお、無段変速機１７は、ベルトとプーリとを備えるベルト式に限らず、例えばローラとディスクとを備えるトロイダル式であってもよい。
【００２１】
トランスミッション出力軸１９には、ディファレンシャルギア２１や、車両の出力軸としての車軸２２等を介して車輪（駆動輪）２３が接続されている。また、車輪２３には、図示しない油圧回路等により駆動されることで各車輪２３に対して制動力を付与するブレーキアクチュエータ２４が設けられている。
【００２２】
さらに、クランク軸１５には、エンジン側プーリ２５とコンプレッサ側プーリ２６との間に掛け渡されたベルト２７を介してエアコン用コンプレッサ２８が連結されている。エンジン１０が回転すると、その回転動力がベルト２７を通じてコンプレッサ２８に伝達され、コンプレッサ２８が回転駆動される。これにより、コンプレッサ２８を含んで構成される空調装置としてのエアコンディショナ（エアコン）による車室内の空調が行われる。コンプレッサ２８について本実施形態では、安価であること等を理由に、エンジン１回転当たりのエアコン冷媒吐出量が固定値である固定容量型が採用されている。そのため、コンプレッサ２８の吐出能力は、都度のエンジン回転速度によって定まる。すなわち、エンジン回転速度が高いほど、コンプレッサ回転速度が高くなり、コンプレッサ２８からの冷媒吐出量が増大する。そのため、エンジン回転速度が高いほど、エアコンの冷房能力が高まることとなる。
【００２３】
エンジン１０からコンプレッサ２８への動力伝達／動力遮断は、電磁クラッチ２９によって切替可能に構成されている。つまり、電磁クラッチ２９の接続／解放が制御されることにより、コンプレッサ２８の稼動／非稼動が切り替えられる。
【００２４】
エンジンＥＣＵ４０及びＣＶＴ用ＥＣＵ５０は、周知の通りＣＰＵ、ＲＯＭ、ＲＡＭ等よりなるマイクロコンピュータ（以下、マイコンという）を主体として構成され、ＲＯＭに記憶された各種の制御プログラムを実行することで、エンジン１０や車両の運転に関する各種制御を実施する。
【００２５】
具体的には、エンジンＥＣＵ４０は、本システムに設けられている各種センサの検出結果等に基づいて、スロットルバルブ１３による吸入空気量制御（スロットル開度制御）や、インジェクタによる燃料噴射量制御、点火装置による点火制御などの各種エンジン制御や、ブレーキアクチュエータ２４による制動制御等を実施する。センサ類について詳しくは、エンジンＥＣＵ４０には、エンジン１０の所定クランク角毎に矩形状のクランク角信号を出力するクランク角センサ３１や、アクセル操作量を検出するアクセルセンサ３２、ブレーキ操作量を検出するブレーキセンサ３３、車速を検出する車速センサ３４、スロットル開度センサ１４等が接続されており、これら各センサの検出信号がエンジンＥＣＵ４０に逐次入力される。
【００２６】
また、エンジンＥＣＵ４０は、アクセルセンサ３２や車速センサ３４等の各種検出信号に基づき、エンジンブレーキ有効時であると判定される場合、具体的には、車速が所定の高速度領域の場合にアクセルオフされたときに、インジェクタからの燃料噴射を停止して、燃料カットを開始する。これにより、エンジン１０の吸排気抵抗等によって各車輪２３に対し制動力が作用し、車両が減速される。
【００２７】
その他、エンジンＥＣＵ４０には、エアコンに関する各種信号、具体的には、エアコンスイッチ３５のオン／オフ信号や、ドライバが車室内温度の要求値（要求温度）を設定するための室温設定スイッチ３６からの制御信号、車室内温度を検出する室温センサ３７や外気温度を検出する外気温センサ３８からの検出信号等が逐次入力される。エンジンＥＣＵ４０は、これら入力した各種制御信号等に基づき電磁クラッチ２９の断続を切り替えることで、コンプレッサ２８の稼動／非稼動を制御する。
【００２８】
また、エンジンＥＣＵ４０は、ＣＶＴ用ＥＣＵ５０と電気的に接続されており、ＣＶＴ用ＥＣＵ５０と各種制御信号やデータ等のやり取りを行う。ＣＶＴ用ＥＣＵ５０は、エンジンＥＣＵ４０において各種制御信号に基づき設定された変速比に関する情報を入力し、その変速比情報に基づいて、無段変速機１７の油圧回路等による油圧制御を通じて変速比を制御する。
【００２９】
ところで、車両減速中における燃料カットの実行時にエアコンスイッチ３５がオン状態になっている場合、空調装置（エアコン）において、ドライバ等の要求に見合う冷房能力を発揮できないことが考えられる。すなわち、エアコン用コンプレッサ２８はエンジン１０の回転により稼動されるため、車両減速中の燃料カット期間においてエンジン回転速度が低いと、これに伴いエアコン用コンプレッサ２８の回転速度が低くなる。かかる場合、車室内温度をドライバの要求温度とするのに十分にエアコン用コンプレッサ２８を稼動できず、結果として冷房能力が低下してしまうことが考えられる。
【００３０】
そこで、本実施形態では、車両減速中の燃料カット期間において、エアコンに対する要求負荷、すなわちコンプレッサ２８の稼動に伴いエンジン出力軸１５にかかる負荷が大きいほど、エンジン回転速度が高くなるように無段変速機１７の変速比をシフトダウン側、つまり変速比が高くなる側に制御している。
【００３１】
一方で、上記期間においてシフトダウン側に変速比制御を行った場合、シフトダウンに伴い、車両の負の加速度である減速度が増大して車速が急激に減少することが考えられる。かかる場合、燃料カット期間が短縮されて燃費が悪化したりドライバに違和感を与えたりするおそれがある。
【００３２】
その点に鑑み、本実施形態では、上記変速比制御に際してスロットル開度を制御しており、より具体的には、車速又は車速に関するパラメータに基づいてスロットル開度を制御している。つまり、変速比制御とスロットル開度制御とにより、車両減速中の燃料カット期間において、ドライバ等のエアコン要求を満たしつつ、エンジンブレーキによる過剰な車両減速を抑制するようにしている。
【００３３】
図２は、車両減速中の燃料カット期間における変速比制御及びスロットル開度制御に関する処理の処理手順を示すフローチャートである。この処理は、エンジンＥＣＵ４０により所定周期毎に実行される。
【００３４】
図２において、ステップＳ１１ではまず、車両減速時における燃料カット中か否かを判定する。車速センサ３４に基づき検出される車速が所定値以上であり、かつアクセルセンサ３２に基づき検出されるアクセル操作量が値０の状態にあれば、ステップＳ１１で肯定判定され、ステップＳ１２へ進み、エアコンスイッチ３５がオンになっているか否かを判定する。エアコンスイッチ３５がオン状態でなければ、ステップＳ１３へ進み、車速センサ３４に基づき検出される車速に基づいて変速比を設定し、その設定した変速比にするようＣＶＴ用ＥＣＵ５０に指令する。本実施形態では、車速と変速比との関係をマップとして予めＲＯＭに記憶しておき、そのマップにより現在の車速に対応する変速比を設定する。同関係について具体的には、車速が低いほど変速比がシフトダウン側になるように規定してある。
【００３５】
一方、エアコンスイッチ３５がオン状態であれば、ステップＳ１４へ進み、エアコンに対して要求される負荷（エアコン要求負荷）を算出する。本実施形態では、エンジンＥＣＵ４０に入力されるエアコンに関する各種情報とエアコン要求負荷との関係をマップとして予めＲＯＭに記憶しておき、そのマップにより、各種エアコン情報に対応するエアコン要求負荷を算出する。エアコン情報として本実施形態では、室温設定スイッチ３６により設定される要求温度、室温センサ３７により検出される車室温、及び外気温センサ３８により検出される外気温を含む。その他、日射の度合いや湿度等を含んでいてもよい。
【００３６】
図３は、エアコンに関する情報とエアコン要求負荷との関係を示すマップの一例である。図３において、（ａ）は外気温と車室温とエアコン要求負荷との関係を示し、（ｂ）は要求温度とエアコン要求負荷との関係を示している。図３（ａ）に示すように、エアコン要求負荷は、外気温が高いほど、又は車室温が高いほど大きくなっている。また、図３（ｂ）に示すように、要求温度が低いほどエアコン要求負荷が大きくなっている。
【００３７】
図２の説明に戻り、ステップＳ１５では、算出したエアコン要求負荷に基づいて、エアコン用コンプレッサ２８の回転速度の制御値、すなわちエンジン回転速度の制御値を算出する。本実施形態では、図４に示すように、エアコン要求負荷が大きいほどコンプレッサ回転速度（エンジン回転速度ＮＥ）の制御値が大きく設定される。
【００３８】
続くステップＳ１６では、クランク角センサ３１に基づき検出される実エンジン回転速度が、算出した制御値になるよう変速比を設定し、その設定した変速比にするようＣＶＴ用ＥＣＵ５０に指令する。変速比の設定について本実施形態では、コンプレッサ回転速度（エンジン回転速度）の制御値と変速比との関係をマップとして予めＲＯＭに記憶しておき、そのマップにより、設定したコンプレッサ回転速度の制御値に対応する変速比を設定する。
【００３９】
図５は、コンプレッサ回転速度の制御値と変速比との関係を示すマップの一例である。図５によれば、コンプレッサ回転速度の制御値が高いほど、変速比をシフトダウン側（変速比増加側）に設定する。すなわち、例えば、車両減速時の燃料カット中に、ドライバにより室温設定スイッチ３６が操作されて要求温度が低くなる等、エアコン要求負荷が増大する要因が発生した場合には、エンジン回転速度が高くなるように変速比をシフトダウン側に変更する。これにより、コンプレッサ回転速度が高くなり、冷房能力が向上する。一方、室温設定スイッチ３６の操作により要求温度が高くなる等、エアコン要求負荷が低下する要因が発生した場合には、エンジン回転速度が低くなるように変速比をシフトアップ側（変速比減少側）に変更する。これにより、燃料カットをできるだけ長く継続し、燃費改善を図る。
【００４０】
また、変速比については、車速に応じて可変にしており、例えば図６に示すように、車速が低いほど変速比がシフトダウン側になるように、車速と変速比との関係が規定されている。また、図６では、エアコン要求負荷が一定の場合にエンジン回転速度が一定になるように車速と変速比との関係が規定されている。本実施形態では、例えば上記図５に基づき設定した変速比で図６に基づき設定した変速比を補正することにより、最終的な変速比を算出している。
【００４１】
さて、ステップＳ１７では、車速又は車速に関するパラメータに基づいてスロットル開度を算出し、その算出したスロットル開度になるようスロットルアクチュエータ１２を駆動する。より詳細には、車速に関するパラメータとして車両の負の加速度である減速度を検出し、その減速度に応じてスロットル開度を制御する。
【００４２】
車両の減速度に応じてスロットル開度を制御するのは、以下の理由からである。すなわち、エアコン要求負荷に応じて変速比をシフトダウン側にした場合、エンジン回転速度が高くなりコンプレッサ回転速度が高くなる反面、エンジンブレーキが増大する。そのため、車両の減速度が増大し、その結果、ドライバに違和感を与えたり、あるいは燃料カット期間の短縮により燃費が悪化したりするおそれがある。そこで、本実施形態では、シフトダウン側への変速比制御の際に、車両の減速度に応じてスロットル開度を増大させることでエンジン１０のポンプロスを低減し、これによりエンジン回転速度を適正レベルに制御しつつ、車両の減速感を保持するようにしている。具体的には、例えば車両の減速度が急激に大きく変化した場合、その減速度の変化率が大きいほど、スロットル開度を開側に制御する。
【００４３】
なお、減速度は、例えば車速センサ３４の出力値の推移に基づいて算出してもよいし、加速度センサを搭載して同センサ値に基づいて検出してもよい。
【００４４】
その後、ステップＳ１８では、クランク角センサ３１に基づき検出されるエンジン回転速度が所定の回転速度以下か否かを判定する。ここで、燃料カット時においてエンジン回転速度が極低回転速度まで低下した場合、燃焼を再開した際にエンジン１０を再始動できないおそれがある。そこで、エンジン回転速度が所定回転速度（燃料カット復帰回転速度）以下になった場合には、燃料噴射を再開して、燃料カットから復帰させるようにしている。つまり、ステップＳ１８でエンジン回転速度が燃料カット復帰回転速度よりも高ければ、燃料カット状態をそのまま継続する。一方、エンジン回転速度が燃料カット復帰回転速度以下の場合には、ステップＳ１９へ進み、燃料噴射を再開し、燃料カットから復帰させる。こうして本ルーチンを終了する。
【００４５】
次に、車両減速時の燃料カット中における変速比制御及びスロットル開度制御の具体的態様を図７のタイムチャートを用いて説明する。図７において、（ａ）は車速の推移、（ｂ）はエアコン要求負荷の推移、（ｃ）は変速比の推移、（ｄ）はエンジン回転速度の推移、（ｅ）はスロットル開度の推移をそれぞれ示している。なお、図７では、燃料カットが実施されており、これにより車両が徐々に減速している場合を想定している。
【００４６】
図７において、タイミングｔ１で、例えばドライバが室温設定スイッチ３６を操作して車室内の要求温度を下げることにより、エアコン要求負荷がＡＣ１だけ増大した場合、その増大に伴い変速比がＧ１だけシフトダウン側（変速比増加側）に変更される。これにより、エンジン回転速度がＮＥ１だけ上昇し、その回転上昇に伴いコンプレッサ回転速度が上昇する。その結果、空調装置において、エアコン要求負荷の増大に合わせて冷房能力が向上される。また、タイミングｔ１では、変速比の変更に合わせてスロットル開度が開側に変更されることにより、車両の減速度が急激に変化されない。
【００４７】
タイミングｔ１以降においてエアコン要求負荷が一定の期間（例えば図７中のｔ１〜ｔ２）では、車速が徐々に低下するにつれて変速比が徐々にシフトダウン側に変更されることにより、エンジン回転速度が一定に保持される。これにより、コンプレッサ回転速度が一定に保持され、エアコンの冷房能力が保持される。
【００４８】
また、タイミングｔ２で、エアコン要求負荷が更にＡＣ２だけ増大されると、その増大に伴い変速比がＧ２だけシフトダウン側に変更される。これにより、エンジン回転速度が更にＮＥ２だけ上昇し、その回転上昇に伴いコンプレッサ回転速度が更に上昇する。また、変速比の変更に合わせてスロットル開度が更に開側に変更される。
【００４９】
その後、タイミングｔ３で、例えばドライバが室温設定スイッチ３６を操作して車室内の要求温度を上げることにより、エアコン要求負荷がＡＣ３だけ減少すると、その減少に伴い変速比がＧ３だけシフトアップ側（変速比減少側）に変更される。これにより、エンジン回転速度がＮＥ３だけ低下し、その低下に伴いコンプレッサ回転速度が低下する。このとき、コンプレッサ回転速度（エンジン回転速度）が、エアコン要求に対して過剰に高くならないように変速比がシフトアップ側に変更されることにより、車両の減速度が急に大きくなるのが回避される。なお、この場合、ドライバのエアコン要求に見合う冷房能力は維持される。また、タイミングｔ３では、変速比がシフトアップ側に変更されるのに合わせてスロットル開度が閉側に変更されることにより、エンジンブレーキが適正に作動される。
【００５０】
以上詳述した本実施形態によれば、以下の優れた効果が得られる。
【００５１】
車両減速中の燃料カット期間において、ドライバの要求等に応じて設定されるエアコンに対する要求負荷が大きいほど、無段変速機１７の変速比をシフトダウン側に制御する構成としたため、エアコン要求負荷に応じてエアコン用コンプレッサ２８を駆動することができる。これにより、エアコン要求に見合う冷房能力を発揮することができる。また、エアコンに対する要求負荷が小さいほど、無段変速機１７の変速比をシフトアップ側に制御するため、エアコン要求に見合う冷房能力を確保しつつ、エンジン回転速度が必要以上に高くなるのを抑制して燃費悪化を抑制することができる。したがって、エアコンの冷房能力の向上と燃費悪化の抑制とを両立させることができる。
【００５２】
シフトダウン側への変速比制御とともにスロットル開度を制御する構成としたため、エンジン１０の吸排気抵抗を調節することができ、ひいてはエンジン１０のポンプロスを調節することができる。これにより、変速比をシフトダウン側へ変更した場合であっても、エンジンブレーキによる制動力の増大を抑制することができる。したがって、エアコン要求を満たしつつ、車両の減速感の適正化を図ることができる。
【００５３】
また、スロットル開度の制御を、車両の減速度に基づいて実施する構成としたため、コンプレッサ２８の稼動に伴いエンジン出力軸１５にかかる負荷が増大した場合であっても、都度の減速度に応じてエンジン１０のポンピングロスを低減させることができる。したがって、車両の減速度が急変するのを抑制する上で好適である。
【００５４】
車両減速時の燃料カットの際、車速が低いほど変速比をシフトダウン側にしている、具体的には、エアコン要求負荷が一定の場合にエンジン回転速度が一定になるように車速に応じて変速比を設定しているため、エアコン要求負荷が変化しない期間において、コンプレッサ回転速度を一定に保持することができ、ひいてはエアコンの冷房能力を保持することができる。
【００５５】
エアコン用コンプレッサ２８を固定容量型としたため、ドライバ等の要求に見合う冷房能力が発揮される等といった効果を好適に得ることができる。すなわち、固定容量型のコンプレッサ２８は、安価である反面、エンジン１回転あたりの冷媒吐出容量を変更することができない。そのため、固定容量型のコンプレッサ２８を備えるシステムにおいて、エアコンの冷房能力を向上させるとともに、エアコン要求に見合う冷房能力を確保しつつ燃費悪化を抑制するには、車速に依存することなくエンジン回転速度を制御する必要性が高い。したがって、固定容量型のコンプレッサ２８を備えるシステムに本発明を適用することにより、冷房能力の向上と燃費悪化の抑制とを図るといった効果を好適に得ることができる。
【００５６】
（他の実施形態）
本発明は上記実施形態の記載内容に限定されず、例えば次のように実施されてもよい。
【００５７】
・エンジン１０と無段変速機１７との間にロックアップクラッチ機構を設け、ロックアップクラッチ機構の作動／非作動によりエンジン１０と無段変速機１７との接続状態を切り替える構成の車両に本発明を適用してもよい。かかる構成では、アクセルオフに伴う車両減速時において、ロックアップクラッチ機構を作動させることによりエンジン１０の出力軸１５と無段変速機１７とを直結させるとともに、エンジン１０の燃料供給を停止する。つまり、エンジン１０の回転を出力軸１５側からの駆動により維持することで、燃料消費の節減を図っている。この構成では、ロックアップクラッチ機構の作動中において、車輪２３の回転が無段変速機１７により減速されてエンジン１０の出力軸１５に伝達されることにより、減速中の車速に応じてエンジン回転速度が変化する。すなわち、ロックアップクラッチ機構の作動中では、コンプレッサ回転速度が車速の影響を受けやすいと言える。したがって、ロックアップクラッチ機構が作動中の場合に、シフトダウン側への変速比制御を実施することにより、減速中の車速に依存しないようにコンプレッサ回転速度を制御することができ、上記実施形態と同様の効果を得る上で好適である。
【００５８】
・車両減速時の燃料カット中において、シフトダウン側への変速比制御に合わせて、エンジン１０の吸気通路１１を開閉するスロットルバルブ１３の開度を制御する構成としたが、スロットルバルブ１３に代えて、エンジン１０の排気通路を開閉する開閉弁の開度を制御する構成としてもよい。この構成においても、その開度制御によりエンジン１０のポンプロスを調節できるため、シフトダウン側への変速比の変更に伴いエンジンブレーキによる制動力が増大されるのを抑制することができる。
【００５９】
・上記実施形態では、エアコン用コンプレッサ２８を固定容量型としたが、例えば電磁式の制御弁等により冷媒吐出量を可変な可変容量型であってもよい。
【００６０】
・上記実施形態では、エンジンＥＣＵ４０が各種信号に基づいて変速比を設定する構成としたが、ＣＶＴ用ＥＣＵ５０が変速比を設定する構成としてもよい。また、エンジンＥＣＵ４０とは別に、エアコンＥＣＵを設け、エアコンＥＣＵが電磁クラッチ２９を制御する構成としてもよい。
【００６１】
・ガソリンエンジンを搭載する車両について説明したが、ディーゼルエンジンを搭載する車両に本発明を適用してもよい。
【符号の説明】
【００６２】
１０…エンジン、１３…スロットルバルブ（開閉弁）、１５…クランク軸、１７…無段変速機、２８…エアコン用コンプレッサ、４０…エンジンＥＣＵ（エアコン負荷検出手段、変速比制御手段、開閉制御手段）、５０…ＣＶＴ用ＥＣＵ。
【図１】
2011027200.tif 000003
【図２】
2011027200.tif 000004
【図３】
2011027200.tif 000005
【図４】
2011027200.tif 000006
【図５】
2011027200.tif 000007
【図６】
2011027200.tif 000008
【図７】
2011027200.tif 000009